(57)【特許請求の範囲】
【請求項１】
シート束をカバーシートでコの字状に覆い冊子を形成する後処理装置を接続可能な画像形成装置において、
シート束を構成するシートの少なくとも幅方向の長さを取得するシートサイズ取得手段と、
シート束を覆った場合のカバーシートの背部に相当する位置から小口に相当する位置までの距離に関する情報を取得するカバーサイズ取得手段と、
前記シートサイズ取得手段により取得された前記シートの幅方向の長さと前記カバーサイズ取得手段により取得されたカバーシートの背部に相当する位置から小口に相当する位置までの距離とを比較する比較手段と、
前記比較手段の比較結果が前記シート束を覆った場合の前記カバーシートの背部に相当する位置から小口に相当する位置までの距離より前記シートの幅方向の長さが長いと判断した場合は、異常と判断し、異常処理を行なう制御手段と、
を有することを特徴とする画像形成装置。
【請求項２】
シート束をカバーシートでコの字状に覆い冊子を形成する後処理装置を接続可能な画像形成装置において、
シート束を構成するシートのサイズを取得するシートサイズ取得手段と、
カバーシートのサイズに関する情報を取得するカバーサイズ取得手段と、
前記シートサイズ取得手段により取得されたシートサイズと前記カバーサイズ取得手段により取得されたカバーシートのサイズとを比較する比較手段と、
前記比較手段の比較結果が前記カバーシートのサイズより前記シートサイズの方が大きい場合、且つ前記カバーシートからはみでるシートの領域であるはみだし領域のサイズを算出し、はみ出し領域のサイズが許容範囲より大きい場合は、異常と判断し、異常処理を行なう制御手段と、
を有することを特徴とする画像形成装置。
【請求項３】
シート束をカバーシートでコの字状に覆い冊子を形成可能であって前記シート束の小口を断裁する断裁手段を有する後処理装置を接続可能な画像形成装置において、
前記後処理装置で前記シート束の小口を断裁するか否かの選択情報を取得する断裁選択手段と、
シート束を構成するシートのサイズを取得するシートサイズ取得手段と、
前記シートの厚さを取得するシート厚取得手段と、
前記シート厚取得手段で取得されたシートの厚さに基づき前記シート束の厚さを演算するシート束厚演算手段と、
前記シート束厚演算手段により演算された少なくともシート束の厚さに基づき前記カバーシートに必要とされる幅方向の長さを演算するカバーシート幅演算手段と、
使用するカバーシートの幅方向の長さに関する情報値を取得するカバーシート幅取得手段と、
前記カバーシート幅演算手段の演算値と前記カバーシート幅取得手段により取得されたカバーシートの幅方向の長さに関する情報値とを比較する比較手段と、
前記断裁選択手段により断裁なしとの選択情報が取得され、且つ前記比較手段の比較結果が、前記カバーシート幅演算手段の演算値より前記カバーシート幅取得手段により取得されたカバーシートの幅方向の長さに関する情報値が小さい場合は異常と判断し、異常処理を行なう制御手段と、
を有することを特徴とする画像形成装置。
【請求項４】
前記制御手段は、前記断裁選択手段により断裁ありとの選択情報が取得され、且つ予め設定された断裁の位置がカバーシートからシートがはみ出たはみ出し領域の中に入る場合は異常と判断し、異常処理を行うことを特徴とする請求項３に記載の画像形成装置。
【請求項５】
シート束をカバーシートでコの字状に覆い冊子を形成可能であって前記シート束の小口を断裁する断裁手段を有する後処理装置を接続可能な画像形成装置において、
前記後処理装置で前記シート束の小口を断裁するか否かの選択情報を取得する断裁選択手段と、
シート束を構成するシートのサイズを取得するシートサイズ取得手段と、
前記シートの厚さを取得するシート厚取得手段と、
前記シート厚取得手段で取得されたシートの厚さに基づき前記シート束の厚さを演算するシート束厚演算手段と、
前記シート束厚演算手段により演算された少なくともシート束の厚さに基づき前記カバーシートに必要とされる幅方向の長さを演算するカバーシート幅演算手段と、
使用するカバーシートの幅方向の長さに関する情報値を取得するカバーシート幅取得手段と、
前記カバーシート幅演算手段の演算値と前記カバーシート幅取得手段により取得されたカバーシートの幅方向の長さに関する情報値とを比較する比較手段と、
前記断裁選択手段により断裁ありとの選択情報が取得され、且つ予め設定された断裁の位置がカバーシートからシート束がはみ出たはみ出し領域の中に入る場合は異常と判断し、異常処理を行う制御手段と、
を有することを特徴とする画像形成装置。
【請求項６】
シート束の背部に接着剤を塗布してカバーシートでコの字状に覆い冊子を形成する後処理装置を接続可能な画像形成装置において、
カバーシートの高さ方向の長さを取得するカバーサイズ取得手段と、
後処理装置による高さ方向におけるシート束の背部への接着剤の塗布範囲が前記カバーサイズ取得手段により取得されたカバーシートの高さ方向の長さより大きい場合は、異常と判断し、異常処理を行なう制御手段と、
を有することを特徴とする画像形成装置。
【請求項７】
シート束をカバーシートでコの字状に覆い冊子を形成可能であって前記シート束の小口を断裁する断裁手段を有する後処理装置を接続可能な画像形成装置において、
前記後処理装置で前記シート束の小口を断裁するか否かの選択情報を取得する断裁選択手段と、
シート束を構成するシートの幅方向の長さを取得するシートサイズ取得手段と、
シート束を覆った場合のカバーシートの背部に相当する位置から小口に相当する位置までの距離を取得するカバーサイズ取得手段と、
前記シートサイズ取得手段により取得されたシートの幅方向の長さと前記カバーサイズ取得手段により取得されたカバーシートの背部に相当する位置から小口に相当する位置までの距離とを比較する比較手段と、
前記断裁選択手段により断裁なしとの選択情報が取得され、且つ前記比較手段の比較結果が、前記カバーシートの背部に相当する位置から小口に相当する位置までの距離より前記シートの幅方向の長さの方が大きい場合は、異常と判断し、異常処理を行なう制御手段と、
を有することを特徴とする画像形成装置。
【請求項８】
シート上に画像を形成する画像形成手段を有し、前記制御手段は、前記異常と判断した場合、前記画像形成手段による画像形成動作は許可し、前記異常処理として画像が形成されたシートに対する前記後処理装置における冊子の形成動作を禁止させることを特徴とする請求項１〜７のいずれか１項に記載の画像形成装置。
【請求項９】
前記制御手段は、前記異常処理として異常を報知することを特徴とする請求項１〜８のいずれか１項に記載の画像形成装置。
【請求項１０】
前記シート束をカバーシートでコの字状に覆い冊子を形成する後処理装置と請求項１〜９のいずれか１項に記載した画像形成装置とを有する製本システム。
【請求項１１】
画像が形成されたシート束をカバーシートでコの字状に覆い冊子を形成する製本方法であって、
シート束の小口を断裁するか否かの選択情報を取得するステップと、
シート束を構成するシートのサイズを取得するステップと、
前記シートの厚さを取得するステップと、
前記シートの厚さに基づき前記シート束の厚さを演算するステップと、
少なくとも前記シート束の厚さに基づき前記カバーシートに必要とされる幅方向の長さを演算するステップと、
使用するカバーシートの幅方向の長さに関する情報値を取得するステップと、
前記カバーシートに必要とされる幅方向の長さと前記カバーシートの幅方向の長さに関する情報値とを比較するステップと、
断裁なしとの選択情報が取得され、且つ前記カバーシートに必要とされる幅方向の長さより前記カバーシートの幅方向の長さに関する情報値が小さい場合は異常と判断し、異常処理を行なうステップと、
を有することを特徴とする製本方法。
【請求項１２】
画像が形成されたシート束をカバーシートでコの字状に覆い冊子を形成する製本方法であって、
シート束の小口を断裁するか否かの選択情報を取得するステップと、
シート束を構成するシートのサイズを取得するステップと、
前記シートの厚さを取得するステップと、
前記シートの厚さに基づき前記シート束の厚さを演算するステップと、
少なくとも前記シート束の厚さに基づき前記カバーシートに必要とされる幅方向の長さを演算するステップと、
使用するカバーシートの幅方向の長さに関する情報値を取得するステップと、
前記カバーシートに必要とされる幅方向の長さと前記カバーシートの幅方向の長さに関する情報値とを比較するステップと、
断裁ありとの選択情報が取得され、且つ予め設定された断裁の位置がカバーシートからシートがはみ出たはみ出し領域の中に入る場合は異常と判断し、異常処理を行うステップと、
を有することを特徴とする製本方法。
【請求項１３】
画像が形成されたシート束の背部に接着剤を塗布してカバーシートでコの字状に覆い冊子を形成する製本方法であって、
カバーシートの高さ方向の長さを取得するステップと、
高さ方向におけるシート束の背部への接着剤の塗布範囲が前記カバーシートの高さ方向の長さより大きい場合は、異常と判断し、異常処理を行なうステップと、
を有することを特徴とする製本方法。
【請求項１４】
画像が形成されたシート束をカバーシートでコの字状に覆い冊子を形成する製本方法であって、
シート束の小口を断裁するか否かの選択情報を取得するステップと、
シート束を構成するシートの幅方向の長さを取得するステップと、
シート束を覆った場合のカバーシートの背部に相当する位置から小口に相当する位置までの距離を取得するステップと、
前記シートの幅方向の長さと前記カバーシートの背部に相当する位置から小口に相当する位置までの距離との比較を行うステップと、
断裁なしとの選択情報が取得され、且つ前記カバーシートの背部に相当する位置から小口に相当する位置までの距離より前記シートの幅方向の長さの方が大きい場合は、異常と判断し、異常処理を行なうステップと、
を有することを特徴とする製本方法。
【発明の詳細な説明】
【技術分野】
【０００１】
画像形成装置、製本システム及び製本方法に関し、特に、シート束をカバーシートでコの字状に覆い冊子を形成する後処理装置を接続可能な画像形成装置、該画像形成装置に後処理装置が接続された製本システム及び製本方法に関する。
【背景技術】
【０００２】
一般に、複写機、ファクシミリ装置、プリンタ、及びこれらの複合機等の画像形成装置により画像が記録されたシートは、後処理として、例えば、孔あけ、ステイプル綴じ、中綴じ中折り、表紙付け、折り、スタンプ、糊付け製本等の種々の加工が施される。
【０００３】
このような画像形成装置と後処理装置の組み合わせのうち、画像形成装置と糊付け製本装置が接続されたシステムが知られている（例えば特許文献１参照）。
【０００４】
このような画像形成装置と糊付け製本装置が接続されたシステムでは、画像形成装置から供給されたシートを複数枚集積しシート束とし、シート束の背部に接着剤を塗布し、接着剤を塗布したシート束にカバーシートを圧着して糊付け製本を行うことができる。
【０００５】
しかしながら、カバーシートで覆うシート束に対して、不適格なサイズのカバーシートによりくるみ製本を行い冊子形態とした場合には、カバーシートからシート束が幅方向に所定寸法以上はみ出てしまい、冊子の品質を損なってしまう可能性があるという問題点がある。
また、不適切なシートとカバーシートとの組み合わせでくるみ製本を行い冊子を形成しようとすると上述した様な問題点の結果無駄な冊子を作成し廃棄による環境阻害要因となってしまう可能性があるという問題点がある。
【特許文献１】特開２００４−２０９８６９号公報
【発明の開示】
【発明が解決しようとする課題】
【０００６】
上記の問題点に鑑み本発明は、糊付けくるみ製本を行う際に、シート束とカバーシートとのサイズの不適合による不都合を解決することを目的とする。特に、高品質の冊子を提供可能とし、無駄な冊子を製作してしまう事による環境悪化を軽減する画像形成装置、製本システム及び製本方法を提供することを目的とする。
【課題を解決するための手段】
【０００７】
前記課題は下記の手段により達成される。
【０００８】
（１）シート束をカバーシートでコの字状に覆い冊子を形成する後処理装置を接続可能な画像形成装置において、
シート束を構成するシートの少なくとも幅方向の長さを取得するシートサイズ取得手段と、
シート束を覆った場合のカバーシートの背部に相当する位置から小口に相当する位置までの距離に関する情報を取得するカバーサイズ取得手段と、
前記シートサイズ取得手段により取得された前記シートの幅方向の長さと前記カバーサイズ取得手段により取得されたカバーシートの背部に相当する位置から小口に相当する位置までの距離とを比較する比較手段と、
前記比較手段の比較結果が前記シート束を覆った場合の前記カバーシートの背部に相当する位置から小口に相当する位置までの距離より前記シートの幅方向の長さが長いと判断した場合は、異常と判断し、異常処理を行なう制御手段と、
を有することを特徴とする画像形成装置。
【０００９】
（２）シート束をカバーシートでコの字状に覆い冊子を形成する後処理装置を接続可能な画像形成装置において、
シート束を構成するシートのサイズを取得するシートサイズ取得手段と、
カバーシートのサイズに関する情報を取得するカバーサイズ取得手段と、
前記シートサイズ取得手段により取得されたシートサイズと前記カバーサイズ取得手段により取得されたカバーシートのサイズとを比較する比較手段と、
前記比較手段の比較結果が前記カバーシートのサイズより前記シートサイズの方が大きい場合、且つ前記カバーシートからはみでるシートの領域であるはみだし領域のサイズを算出し、はみ出し領域のサイズが許容範囲より大きい場合は、異常と判断し、異常処理を行なう制御手段と、
を有することを特徴とする画像形成装置。
【００１０】
（３）シート束をカバーシートでコの字状に覆い冊子を形成可能であって前記シート束の小口を断裁する断裁手段を有する後処理装置を接続可能な画像形成装置において、
前記後処理装置で前記シート束の小口を断裁するか否かの選択情報を取得する断裁選択手段と、
シート束を構成するシートのサイズを取得するシートサイズ取得手段と、
前記シートの厚さを取得するシート厚取得手段と、
前記シート厚取得手段で取得されたシートの厚さに基づき前記シート束の厚さを演算するシート束厚演算手段と、
前記シート束厚演算手段により演算された少なくともシート束の厚さに基づき前記カバーシートに必要とされる幅方向の長さを演算するカバーシート幅演算手段と、
使用するカバーシートの幅方向の長さに関する情報値を取得するカバーシート幅取得手段と、
前記カバーシート幅演算手段の演算値と前記カバーシート幅取得手段により取得されたカバーシートの幅方向の長さに関する情報値とを比較する比較手段と、
前記断裁選択手段により断裁なしとの選択情報が取得され、且つ前記比較手段の比較結果が、前記カバーシート幅演算手段の演算値より前記カバーシート幅取得手段により取得されたカバーシートの幅方向の長さに関する情報値が小さい場合は異常と判断し、異常処理を行なう制御手段と、
を有することを特徴とする画像形成装置。
【００１１】
（４）前記制御手段は、前記断裁選択手段により断裁ありとの選択情報が取得され、且つ予め設定された断裁の位置がカバーシートからシートがはみ出たはみ出し領域の中に入る場合は異常と判断し、異常処理を行うことを特徴とする（３）に記載の画像形成装置。
【００１２】
（５）シート束をカバーシートでコの字状に覆い冊子を形成可能であって前記シート束の小口を断裁する断裁手段を有する後処理装置を接続可能な画像形成装置において、
前記後処理装置で前記シート束の小口を断裁するか否かの選択情報を取得する断裁選択手段と、
シート束を構成するシートのサイズを取得するシートサイズ取得手段と、
前記シートの厚さを取得するシート厚取得手段と、
前記シート厚取得手段で取得されたシートの厚さに基づき前記シート束の厚さを演算するシート束厚演算手段と、
前記シート束厚演算手段により演算された少なくともシート束の厚さに基づき前記カバーシートに必要とされる幅方向の長さを演算するカバーシート幅演算手段と、
使用するカバーシートの幅方向の長さに関する情報値を取得するカバーシート幅取得手段と、
前記カバーシート幅演算手段の演算値と前記カバーシート幅取得手段により取得されたカバーシートの幅方向の長さに関する情報値とを比較する比較手段と、
前記断裁選択手段により断裁ありとの選択情報が取得され、且つ予め設定された断裁の位置がカバーシートからシート束がはみ出たはみ出し領域の中に入る場合は異常と判断し、異常処理を行う制御手段と、
を有することを特徴とする画像形成装置。
【００１３】
（６）シート束の背部に接着剤を塗布してカバーシートでコの字状に覆い冊子を形成する後処理装置を接続可能な画像形成装置において、
カバーシートの高さ方向の長さを取得するカバーサイズ取得手段と、
後処理装置による高さ方向におけるシート束の背部への接着剤の塗布範囲が前記カバーサイズ取得手段により取得されたカバーシートの高さ方向の長さより大きい場合は、異常と判断し、異常処理を行なう制御手段と、
を有することを特徴とする画像形成装置。
【００１４】
（７）シート束をカバーシートでコの字状に覆い冊子を形成可能であって前記シート束の小口を断裁する断裁手段を有する後処理装置を接続可能な画像形成装置において、
前記後処理装置で前記シート束の小口を断裁するか否かの選択情報を取得する断裁選択手段と、
シート束を構成するシートの幅方向の長さを取得するシートサイズ取得手段と、
シート束を覆った場合のカバーシートの背部に相当する位置から小口に相当する位置までの距離を取得するカバーサイズ取得手段と、
前記シートサイズ取得手段により取得されたシートの幅方向の長さと前記カバーサイズ取得手段により取得されたカバーシートの背部に相当する位置から小口に相当する位置までの距離とを比較する比較手段と、
前記断裁選択手段により断裁なしとの選択情報が取得され、且つ前記比較手段の比較結果が、前記カバーシートの背部に相当する位置から小口に相当する位置までの距離より前記シートの幅方向の長さの方が大きい場合は、異常と判断し、異常処理を行なう制御手段と、
を有することを特徴とする画像形成装置。
【００１５】
（８）シート上に画像を形成する画像形成手段を有し、前記制御手段は、前記異常と判断した場合、前記画像形成手段による画像形成動作は許可し、前記異常処理として画像が形成されたシートに対する前記後処理装置における冊子の形成動作を禁止させることを特徴とする（１）〜（７）のいずれか１項に記載の画像形成装置。
【００１６】
（９）前記制御手段は、前記異常処理として異常を報知することを特徴とする（１）〜（８）のいずれか１項に記載の画像形成装置。
【００１７】
（１０）前記シート束をカバーシートでコの字状に覆い冊子を形成する後処理装置と（１）〜（９）のいずれか１項に記載した画像形成装置とを有する製本システム。
【００１８】
（１１）画像が形成されたシート束をカバーシートでコの字状に覆い冊子を形成する製本方法であって、
シート束の小口を断裁するか否かの選択情報を取得するステップと、
シート束を構成するシートのサイズを取得するステップと、
前記シートの厚さを取得するステップと、
前記シートの厚さに基づき前記シート束の厚さを演算するステップと、
少なくとも前記シート束の厚さに基づき前記カバーシートに必要とされる幅方向の長さを演算するステップと、
使用するカバーシートの幅方向の長さに関する情報値を取得するステップと、
前記カバーシートに必要とされる幅方向の長さと前記カバーシートの幅方向の長さに関する情報値とを比較するステップと、
断裁なしとの選択情報が取得され、且つ前記カバーシートに必要とされる幅方向の長さより前記カバーシートの幅方向の長さに関する情報値が小さい場合は異常と判断し、異常処理を行なうステップと、
を有することを特徴とする製本方法。
【００１９】
（１２）画像が形成されたシート束をカバーシートでコの字状に覆い冊子を形成する製本方法であって、
シート束の小口を断裁するか否かの選択情報を取得するステップと、
シート束を構成するシートのサイズを取得するステップと、
前記シートの厚さを取得するステップと、
前記シートの厚さに基づき前記シート束の厚さを演算するステップと、
少なくとも前記シート束の厚さに基づき前記カバーシートに必要とされる幅方向の長さを演算するステップと、
使用するカバーシートの幅方向の長さに関する情報値を取得するステップと、
前記カバーシートに必要とされる幅方向の長さと前記カバーシートの幅方向の長さに関する情報値とを比較するステップと、
断裁ありとの選択情報が取得され、且つ予め設定された断裁の位置がカバーシートからシートがはみ出たはみ出し領域の中に入る場合は異常と判断し、異常処理を行うステップと、
を有することを特徴とする製本方法。
【００２０】
（１３）画像が形成されたシート束の背部に接着剤を塗布してカバーシートでコの字状に覆い冊子を形成する製本方法であって、
カバーシートの高さ方向の長さを取得するステップと、
高さ方向におけるシート束の背部への接着剤の塗布範囲が前記カバーシートの高さ方向の長さより大きい場合は、異常と判断し、異常処理を行なうステップと、
を有することを特徴とする製本方法。
【００２１】
（１４）画像が形成されたシート束をカバーシートでコの字状に覆い冊子を形成する製本方法であって、
シート束の小口を断裁するか否かの選択情報を取得するステップと、
シート束を構成するシートの幅方向の長さを取得するステップと、
シート束を覆った場合のカバーシートの背部に相当する位置から小口に相当する位置までの距離を取得するステップと、
前記シートの幅方向の長さと前記カバーシートの背部に相当する位置から小口に相当する位置までの距離との比較を行うステップと、
断裁なしとの選択情報が取得され、且つ前記カバーシートの背部に相当する位置から小口に相当する位置までの距離より前記シートの幅方向の長さの方が大きい場合は、異常と判断し、異常処理を行なうステップと、
を有することを特徴とする製本方法。
【発明の効果】
【００３１】
第１の発明によればカバーシートのサイズよりシートサイズの方が大きい場合は異常処理を行なうことにより、装置内、装置周辺、作業者、及び冊子を接着剤で汚さず、環境に優しい、且つ高品質の冊子を提供可能な画像形成装置の提供が可能となる。
【００３２】
第２の発明によれば必要なカバーシート幅より使用するカバーシート幅が小さい場合は異常処理を行なうことにより、装置内、装置周辺、作業者、及び冊子を接着剤で汚さず、環境に優しい、且つ高品質の冊子を提供可能な画像形成装置の提供が可能となる。
【００３３】
第３の発明によればカバーシートからはみ出るシートの幅が許容値より大きな場合異常処理を行なうことにより、装置内、装置周辺、作業者、及び冊子を接着剤で汚さず、環境に優しい、且つ高品質の冊子を提供可能な画像形成装置の提供が可能となる。
【００３４】
第４の発明によれば断裁ありとの選択情報が取得され、且つ予め設定された断裁の位置がカバーシートからシート束がはみ出たはみ出し領域の中に入る場合は異常処理を行うことにより、装置内、装置周辺、作業者、及び冊子を接着剤で汚さず、環境に優しい、且つ高品質の冊子を提供可能な画像形成装置の提供が可能となる。
【００３５】
第５の発明によればシート束の背部への接着剤の塗布範囲がカバーシートの高さ方向の長さより大きい場合は異常処理を行なうことにより、装置内、装置周辺、作業者、及び冊子を接着剤で汚さず、環境に優しい、且つ高品質の冊子を提供可能な画像形成装置の提供が可能となる。
【００３６】
第６の発明によれば上記効果を奏する画像形成装置に後処理装置を接続することにより、装置内、装置周辺、作業者、及び冊子を接着剤で汚さず、環境に優しい、且つ高品質の冊子を提供可能な製本システムの提供が可能となる。
【００３７】
第７の発明によればことにより、装置内、装置周辺、作業者、及び冊子を接着剤で汚さず、環境に優しい、且つ高品質の冊子を提供可能な画像形成装置の提供が可能となる。
【００３８】
第８の発明によればカバーシートのサイズよりシートサイズの方が大きい場合は異常処理を行なうステップを含むことにより、装置内、装置周辺、作業者、及び冊子を接着剤で汚さず、環境に優しい、且つ高品質の冊子を提供可能な製本方法の提供が可能となる。
【００３９】
第９の発明によれば必要なカバーシート幅より使用するカバーシート幅が小さい場合は異常処理を行なうステップを含むことにより、装置内、装置周辺、作業者、及び冊子を接着剤で汚さず、環境に優しい、且つ高品質の冊子を提供可能な製本方法の提供が可能となる。
【００４０】
第１０の発明によれば断裁なし、且つカバーシートに必要とされる幅方向の長さよりカバーシートの幅方向の長さが小さい場合は異常処理を行なうステップを含むことにより、装置内、装置周辺、作業者、及び冊子を接着剤で汚さず、環境に優しい、且つ高品質の冊子を提供可能な製本方法の提供が可能となる。
【００４１】
第１１の発明によれば断裁あり、且つ予め設定された断裁の位置がカバーシートからシートがはみ出たはみ出し領域の中に入る場合は異常処理を行うステップを含むことにより、装置内、装置周辺、作業者、及び冊子を接着剤で汚さず、環境に優しい、且つ高品質の冊子を提供可能な製本方法の提供が可能となる。
【００４２】
第１２の発明によればシート束の背部への接着剤の塗布範囲がカバーシートの高さ方向の長さより大きい場合は異常処理を行なうステップを含むことにより、装置内、装置周辺、作業者、及び冊子を接着剤で汚さず、環境に優しい、且つ高品質の冊子を提供可能な製本方法の提供が可能となる。
【発明を実施するための最良の形態】
【００４３】
以下に図面を参照して本発明について説明するが、本欄の説明は請求項の技術的範囲や用語の意義を限定するものではない。以下、ＯＨＰシート等樹脂シート、紙シート、その他の材質のシート、を含めシートと記す。
【００４４】
図１はくるみ製本を行った冊子の説明図である。
【００４５】
図１（ａ）はカバーシートを開いた場合を示し、図１（ｂ）はカバーシートを閉じた場合を示している。
【００４６】
１はくるみ製本された冊子で、コの字型となったカバーシート２の背部２Ｈと、シート３が複数枚束になったシート束４の背部である糊塗布面６と、が接着剤５により接着されている。なお、４ｂは、シート束の小口を指している。
２Ａは冊子としての表カバー、２Ｂは冊子としての裏カバー、２Ｃは冊子としての背部を指し、２Ｄは表と裏カバーのおもて面、２Ｅは表と裏カバーのうら面を指している。
【００４７】
ここで、カバーシートのうら面とはカバーシートを冊子形態とした時シート束と接着されている側の面を指し、おもて面とはその反対側の面すなわち冊子形態とした時冊子の外側表面を指している。
【００４８】
また、３Ａは冊子の天部を指し、３Ｂは冊子の地部を指している。
【００４９】
また、幅方向とはシートにおいては接着面側端〜小口側端部方向すなわち矢印Ｘ１方向を指し、カバーシートにおいては一方の小口側端部〜背〜他方の小口側端部方向すなわち矢印Ｘ２方向を指している。また、高さ方向とは幅方向に対して直交方向であり、シート束となった場合の天部から地部へ向かう方向に相当する方向、すなわち矢印Ｙ方向を指している。
【００５０】
なお、カバーシートの幅方向の長さとは、シート束４を覆った場合に小口部を形成する二つの辺である小口部２Ｆと小口部２Ｇとの間の長さであり、一方の小口部２Ｆから背部２Ｃを通り他方の小口部２Ｇまでの長さである。
【００５１】
図２は画像形成装置に、後処理装置を接続した製本システムの説明図である。
【００５２】
図２において、製本システムＡは記録材に画像を形成する画像形成装置Ｂを有し、画像形成装置Ｂにより画像が形成されたシート３に対して後処理を行う後処理装置ＦＳを接続している。
【００５３】
なお、画像形成装置Ｂの上部に原稿を画像読取り手段Ｂ１に送り込む自動原稿送り装置ＤＦを接続しても良い。
【００５４】
［画像形成装置］
画像形成装置Ｂは、画像読取り手段Ｂ１、画像処理手段Ｂ２、画像書込み手段Ｂ３、画像形成手段Ｂ４、給紙搬送手段Ｂ５、定着手段Ｂ６、操作表示手段Ｂ７、画像情報生成手段Ｂ８、とこれらを制御する制御手段ＣＢとを有している。
【００５５】
画像形成手段Ｂ４は、感光体ドラム４Ａ、帯電手段４Ｂ、現像手段４Ｃ、転写手段４Ｄ、分離手段４Ｅ、クリーニング手段４Ｆ等を有し、給紙搬送手段Ｂ５は給紙カセット５Ａ、給紙カセット５Ｂ、給紙カセット５Ｃ、第１給紙手段５Ｄ、第２給紙手段５Ｅ、第３給紙手段５Ｆ、レジストローラ５Ｇ、搬送手段５Ｈ、排紙手段５Ｉ、自動両面コピー給紙手段（ＡＤＵ）５Ｊを有している。
【００５６】
操作表示手段Ｂ７は画像形成装置Ｂの上部前面に位置し、起動スイッチ等の各種操作スイッチ、及び、各種情報の表示及び各種情報の入力操作が可能なタッチパネル等を有し、タッチパネルには、装置の状態や警報等を表示する表示画面、オペレータに対し操作を促す指示画面、くるみ製本に係る各種画像形成条件の設定又は選択、使用するシート及びカバーシートの設定又は選択、くるみ製本に係る条件を含む後処理条件の設定又は選択等を入力する入力画面、の表示が行われると共に、表示された前記画面に基づき設定、選択された操作内容が制御手段ＣＢに入力される。
【００５７】
給紙カセット５Ａ、給紙カセット５Ｂ、及び給紙カセット５Ｃには、それぞれ載置されているシートを位置決めし且つシートのサイズを検知する、シートの幅方向側及び高さ側に配設された移動可能なサイズ検知部材５Ａ１、５Ｂ１、５Ｃ１が設けられている。そして、給紙カセット５Ａ、給紙カセット５Ｂ、及び給紙カセット５Ｃの下部にはサイズ検知部材５Ａ１、５Ｂ１、５Ｃ１の位置を検知して各給紙カセットに載置されているシートのサイズを検出するシートサイズ検出手段５Ａ２、５Ｂ２、５Ｃ２が設けられている。
【００５８】
また、画像形成装置Ｂの上部には、自動原稿送り装置ＤＦが搭載されている。
【００５９】
画像形成装置Ｂの図示の左側面の排紙手段５Ｉ側（下流側）には、複数のシートが束となったシート束をカバーシートでコの字状に覆い冊子を形成するくるみ製本可能な後処理機ＦＳが連結されている。
【００６０】
自動原稿送り装置ＤＦの原稿台上に載置された原稿は画像読取り手段Ｂ１の光学系により原稿の片面又は両面の画像が読みとられ、光電変換された原稿画像のアナログ信号は、画像処理手段Ｂ２においてアナログ処理、Ａ／Ｄ変換、シェーディング補正、画像圧縮処理等の処理が行われデジタル画像情報となり、デジタル画像情報は画像情報生成手段Ｂ８でオペレータにより指定された加工処理が行われ、生成されたデジタル画像情報は画像書込み手段Ｂ３に送られる。
【００６１】
画像書込み手段Ｂ３においては、半導体レーザからの出力光が画像形成手段Ｂ４の感光体ドラム４Ａに照射され潜像を形成する。
【００６２】
ここで、インターネットやＬＡＮに接続された例えばパーソナルコンピュータ等の外部の外部の情報端末ＰＣから通信手段ＰＣ１、通信手段ＣＢ２を介して画像情報を含む各種情報や、くるみ製本に係る情報等を受信して画像情報生成手段Ｂ８で加工処理する様にしても良い。
【００６３】
画像形成手段Ｂ４においては、帯電手段４Ｂ、現像手段４Ｃ等により感光体ドラム４Ａの一様帯電、潜像の現像が行われ感光体ドラム４Ａ上にトナー像を形成し、転写手段４Ｄ、分離手段４Ｅ、クリーニング手段４Ｆにより、給紙搬送手段Ｂ５より給送されたシート３へのトナー像の転写、シート３の分離、感光体ドラム４Ａに残ったトナーのクリーニング等の処理が行われる。
【００６４】
給紙搬送手段Ｂ５より給送されたシート３は転写手段４Ｄにより画像がシート３に転写される。画像を担持したシート３は、定着手段Ｂ６によりトナー像が定着され、排紙手段５Ｅから下流の後処理装置ＦＳに給紙される。
【００６５】
両面に画像形成する場合は、自動両面コピー給紙手段５Ｊに送り込まれた第１面（おもて）画像の定着済みのシート３は再び画像形成手段Ｂ４において第２面（うら）画像形成、定着後、排紙手段５Ｅにより排出され、下流の後処理装置ＦＳに給紙される。
【００６６】
画像形成装置Ｂ内に配置された制御手段ＣＢに接続された通信手段ＣＢ１と、後処理装置ＦＳ内に配置された後処理装置の制御手段ＣＦに接続された通信手段ＣＦ１とは、通信回線９により接続され、各種情報の送受信や、画像形成に係る制御信号や、異常処理に係る情報等の送受信を行う。
【００６７】
以下に本発明の画像形成装置に好適に接続可能な後処理装置ＦＳについて、その１つの形態である糊付けくるみ製本装置ＦＳＮを例に取り説明する。
【００６８】
なお、糊付けくるみ製本システムとは、図１に示したように、複数のシートを束状に纏め、シート束の背部に接着剤を塗布し、カバーシートをコの字状にくるむことにより、冊子を作成する後処理装置を指す。
【００６９】
［糊付けくるみ製本システム］
図３は、糊付けくるみ製本装置ＦＳＮを説明する断面図である。
【００７０】
図３において、後処理装置のＦＳの一例である糊付けくるみ製本装置ＦＳＮは、シート３を搬送するシート搬送手段１０と、シート３を固定排紙台２４に排出する排出手段２０と、カバーシート２を供給するカバーシート供給手段３０と、搬送されたシート３を複数枚収容しシート束とするシート束収容手段４０と、シート束を搬送するシート束搬送手段５０と、シート束の背部に接着剤を塗布する糊塗布手段６０と、接着剤を塗布したシート束にカバーシートを貼り付けるカバー貼付手段７０と、シート束に貼り付けたカバーシートをシート束に沿って折り曲げるカバー折り曲げ手段８０と、冊子形態となったシート束の小口を所定の寸法で断裁する断裁手段（不図示）と、完成した冊子を排出する冊子排出手段９０と、糊付けくるみ製本に係る制御を行う制御手段ＣＦと、画像形成装置と通信を行う通信手段ＣＦ１と、を有している。
【００７１】
上記シート搬送手段１０〜冊子排出手段９０の各手段は、糊付けくるみ製本装置本体内の垂直方向に縦列配置されている。
【００７２】
〈シート搬送手段１０〉
シート搬送手段１０に導入されたシート３は、入口ローラ１１，１２に挟持されて搬送され、搬送路切換手段Ｇ１によって排紙手段２０とシート束収容手段４０に分岐される。
【００７３】
〈排紙手段２０〉
くるみ製本を行わない場合には、シートの排紙が設定されると、搬送路切換手段Ｇ１はシート束収容手段４０方向への搬送路を遮断し、排紙手段２０方向への搬送路を開放し、シート３を排紙手段２０に搬送する。
【００７４】
排紙手段２０への搬送路を通過するシート３は、搬送ローラ２１，２２に挟持されて上方に搬送され、排紙ローラ２３によって装置最上部の固定排紙台（サブトレイ）２４上に排出、収容される。固定排紙台２４上には、画像形成装置Ｂから排出されたシート３を直接受容して、最大約２００枚を積載することを可能としている。
【００７５】
〈カバー供給手段３０〉
カバー供給手段３０の給紙皿３１内に収容されたカバーシート（以下、カバーとも称す）２は、給紙手段３２により分離、給送され、搬送ローラ３３に挟持され、搬送路切換手段Ｇ２によって下方に案内され、搬送ローラ３４，３５，３６に挟持されて、カバー貼付手段７０に搬送される。
【００７６】
給紙皿３１には、収納されているカバーシート２を位置決めし且つカバーシート２のサイズを検知する、カバーシートの幅方向側及び高さ側に配設された移動可能なサイズ検知部材３１１が設けられている。そして、給紙皿３１の下部にはサイズ検知部材３１１の位置を検知して収納カバーシートのサイズであるカバーシートの幅方向の長さと高さ方向の長さを検出するカバーシートサイズ検出手段３１２が設けられている。
【００７７】
〈シート束収容手段４０〉
くるみ製本を行う場合には、搬送路切換手段Ｇ１は排紙手段２０方向への搬送路を遮断し、搬送路切換手段Ｇ１，Ｇ２によってシート搬送方向下流側のシート束収容手段４０側に搬送されたシート３は、搬送ローラ４１に挟持されてシート束収容手段４０の所定位置に収容され順次積載されて、所定枚数のシート３から成るシート束４が形成される。
【００７８】
シート束収容手段４０は、傾斜配置されたシート載置台４２、揺動可能なシート後端位置決め部材４３、シート幅方向を位置決めするシート幅整合部材４４等を有している。
【００７９】
〈シート束搬送手段５０〉
シート束収容手段４０のシート載置台４２上に積載されたシート束４は、図示しない押し出し手段により斜め下方に搬送される。その後、シート束４はシート束搬送手段５０の把持手段５１によって把持され、シート束４を把持したまま、シート束４に糊塗布処理をする面を下側になるように旋回されて、所定位置に停止される。
【００８０】
〈糊塗布手段６０〉
糊塗布手段６０は、糊塗布部材（塗布ローラとも称す）６１と、塗布ローラ６１の回転手段６２と、ホットメルト等の接着剤を加熱溶融しながら収容する糊容器６３と、移動体６４と、移動体６４を往復動させる移動手段、とを有している。
【００８１】
移動体６４は、塗布ローラ６１、回転手段６２、糊容器６３を支持して、シート束４の背部４ｂに沿って（図示紙面表裏方向）に移動可能である。なお、移動体６４は、シートの高さ方向の長さに応じた塗布範囲に対応する移動量だけ移動することにより、塗布ローラ６１がシート束の背部４ｂに接着剤を塗布する。
【００８２】
ここで、接着剤としては、ホットメルト接着剤が好ましく、特に反応性ホットメルト接着剤が好ましい。ホットメルト接着剤は、耐久性に富み製本に適している
なお、糊塗布部材６１は塗布ローラに限定されるものではなく、糊塗布ノズル、両面粘着テープの貼り付け手段等も適用可能である。
【００８３】
〈カバー貼付手段７０〉
カバー貼付手段７０は、カバー供給手段３０から供給されたカバーシート２を受容して搬送し、例えばカバーシートの幅手方向略中央がシート束４の背部の幅方向中央部と一致する所定位置に停止させる搬送ベルト７１，７２と、カバーシート２をシート束４の糊塗布面６に圧接させる加圧部材７３と、搬送ベルト７１，７２と加圧部材７３を支持する移動筐体７４と、移動筐体７４を垂直上下方向に移動可能にする昇降手段７５とを有している。
【００８４】
昇降手段７５は、支持台７５１に支持され、支軸７５２によって回転自在に枢支されＸ字型に交差する２本のアーム７５３，７５４と、駆動源に接続して支持台７５１の長溝部７５５に沿って水平移動可能な可動軸７５６と、移動筐体７４を支持するコロ７５７と、を有している。
【００８５】
可動軸７５６を移動させる事により、２本のアーム７５３，７５４の上端部が上昇して、移動筐体７４を上方位置に移動させる。この上昇位置（図３の破線で示す位置）において、加圧部材７３上に載置されたカバーシート２の中央部は、シート束４の糊塗布面６に圧接して接着される。
【００８６】
〈カバーシート折り手段〉
カバーシート２とシート束４とが接着された冊子は、操作表示手段Ｂ７でカバー折り処理が設定されている場合は不図示のカバーシート折り手段でカバーシートを、シート束とカバーシート間に折り曲げる。
【００８７】
なお、カバー折り処理が設定されている場合は背部の位置がカバーシート中央からずれるため、カバー貼り付け手段７０はカバーシートの幅方向の略中央からずれた分だけずらしてカバーシートとシート束を接着する。
【００８８】
〈カバーシート断裁手段７６〉
移動筐体７４の図示右方に配置されたカバーシート断裁手段７６を設け、必要に応じて不図示のカッタによりカバーシート２の搬送方向長さ、つまりカバーシートの幅方向の長さを所定長に断裁するようにしても良い。
【００８９】
この場合、カバーシート２は、カバー貼付手段７０によりシート束と圧接される前に、シート束の幅方向の長さとシート束の厚さとに応じて決定される所定長となるように断裁される。
【００９０】
〈カバー折り曲げ手段８０〉
カバー貼付手段７０の上部には、カバー折り曲げ手段８０が装備されている。カバー折り曲げ手段８０は、左右対称な一対の折り曲げ部材８１を有する。折り曲げ部材８１はシート束４の厚さ方向に移動可能で、かつ上下方向に移動可能である。
【００９１】
折り曲げ部材８１はシート束４の糊塗布面６の側縁に沿ってカバーシート２を折り曲げ、シート束４の表裏面にそれぞれカバーシート２を重ね合わせ、表カバーと裏カバーとを形成する。
【００９２】
〈冊子断裁手段〉
２本の排出ベルト９１，９２の上流（図示右側）に冊子形態となった少なくともシート束の小口４ｂ側を断裁する不図示の冊子断裁手段が配設されている。
【００９３】
糊塗布されたシート束４の背部６にカバーシート２が貼付されて表カバーと裏カバーとを形成した冊子１は、小口側を冊子断裁手段に向けて搬送され、操作表示手段ＰＣ２から予め設定された断裁幅に基づいて断裁される。
【００９４】
設定された断裁幅の位置が冊子断裁手段のカッタ（不図示）に来た時点で停止し、カッタにより冊子１が切断幅に応じた位置で断裁され所定の寸法の冊子が形成される。
【００９５】
〈冊子排出手段９０〉
糊塗布されたシート束４の背部にカバーシート２が貼付されて表カバーと裏カバーとを形成した冊子１は、冊子排出手段９０の２本の排出ベルト９１，９２により排出開口９３から装置外に排出され、昇降排紙台９４上に載置され、順次積載される。昇降排紙台９４上に冊子１が排出、積載されると、昇降排紙台９４は順次下降する。
【００９６】
なお、くるみ製本装置ＦＳＮのカバー供給手段３０の下流にカバーを２つ折り、３つ折り等にする折り手段を設けて、必要に応じてカバーの表カバー或いは裏カバーに相当する部分を２つ折り、３つ折り等にしても良い。
以上、糊付けくるみ製本について述べてきたが、糊塗布手段６０とカバー貼付手段７０とを、シート束をカバーシートでくるみ、ステープル止めするステープル手段に置き換えステープルくるみ製本を行っても良い。
【００９７】
図４は画像形成装置及び周辺装置の制御ブロック概念図である。
【００９８】
画像形成装置Ｂは、画像読取り手段Ｂ１、画像処理手段Ｂ２、画像書込み手段Ｂ３、画像形成手段Ｂ４、給紙搬送手段Ｂ５、定着手段Ｂ６、及び自動原稿送り装置ＤＦを、入出力インターフェイス手段Ｉ／Ｏ・１を介し制御する制御手段ＣＢと、オペレータから入力された各種操作情報を制御手段ＣＢに入力し、制御手段ＣＢから出力された各種表示情報に基づき表示を行う操作表示手段Ｂ７と、後処理装置である糊付けくるみ製本装置ＦＳＮの制御手段ＣＦに接続された通信手段ＣＦ１と通信回線９を介して通信を行う通信手段ＣＢ１と、外部の情報端末ＰＣの制御手段ＣＰに接続された通信手段ＰＣ１とインターネットやＬＡＮを介して通信を行う通信手段ＣＢ２と、画像形成装置Ｂの上述した画像読取り手段Ｂ１〜自動原稿送り装置ＤＦを制御する制御プログラム及び糊付けくるみ製本装置ＦＳＮと外部の情報端末ＰＣとの糊付けくるみ製本に係る情報を送受信する方法を記述したプログラムを予め記憶されたＲＯＭ・Ｍ１と、各種情報を一時的に記憶するバッテリーバックアップされたＲＡＭ・Ｍ２とを有している。
【００９９】
ＲＯＭ・Ｍ１には予め各種のシートの厚さ情報としての後述するシートの種類に対するシートの厚さテーブルや、後述の各種画面を表示する画像情報や画像形成装置の制御プログラム等が記憶されている。
【０１００】
シートの種類に対するシートの厚さテーブルの内容すなわちシートの種類に対するシートの厚さ情報は操作表示手段Ｂ７でシートの厚さ追加・変更モードの設定或いはＲＯＭの交換により追加変更が可能となっている。
【０１０１】
ＲＡＭ・Ｍ２には情報端末ＰＣから送信されて通信手段ＣＢ２により取得された、または、後述する操作表示手段Ｂ７から選択された実行機能情報、応用機能情報、各種画像情報、各種演算結果が記憶される。
【０１０２】
また、各給紙カセットに対するシートの厚さ・寸法テーブルの内容すなわち給紙カセットに対するシートの種類、厚さ、サイズ情報はカセットの追加・変更モードにすることにより操作表示手段Ｂ７で追加変更が可能となっている。
【０１０３】
糊付けくるみ製本装置ＦＳＮを制御する制御手段ＣＦには入出力インターフェイス手段Ｉ／Ｏ・２を介しカバーシートサイズ検出手段３１２が接続され、通信手段ＣＦ１を介して検出したカバーシートのサイズ情報を制御手段ＣＢに送信可能となっている。
【０１０４】
外部の情報端末ＰＣを制御する制御手段ＣＰには操作表示手段ＰＣ２が接続され、操作部から入力されたシートやカバーシートに係る情報が通信手段ＰＣ１を介し制御手段ＣＢに送信可能となっており、制御手段ＣＢから通信手段ＣＢ２を介して送信されたシートやカバーシートに係る情報の回答が表示部に表示可能となっている。
【０１０５】
制御手段ＣＰに接続された入出力インターフェースＩ／Ｏ・３はスキャナＰＣ３が接続され、スキャナＰＣ３で読み込まれた画像情報を通信手段ＰＣ１等を介して制御手段ＣＢに送信することができる様になっている。
【０１０６】
また、ＲＯＭ・Ｍ３には画像形成装置Ｂへ画像データ、実行機能情報及び応用機能情報等を送信するためのプログラムや製本システムで実行させる実行機能情報及び応用機能情報を生成するためのプログラム等が記憶されている。
【０１０７】
以下にくるみ製本に係る画像形成方法について説明するが、以下のフロー図に記載のプログラムはＲＯＭ・Ｍ１に記憶されており、ＲＡＭ・Ｍ２に転送され、特に記載がないものは制御手段ＣＢにより実行される。
【０１０８】
図５は画像形成装置のくるみ製本に係る画像形成方法の第１の実施形態のフロー図である。
【０１０９】
図６は操作表示手段Ｂ７または操作表示手段ＰＣ２に表示するカセット／サイズ・紙種設定画面の図である。
【０１１０】
図７は操作表示手段Ｂ７または操作表示手段ＰＣ２に表示する出力機能設定画面の図である。
【０１１１】
（準備作業工程）
本工程は下記のフロー図には含まれていないが準備工程として、後述する全ての実施形態で行われる。
【０１１２】
オペレータは、例えばくるみ製本に係るシートとして用いるシートを給紙カセットに収納時に、各給紙カセットに収納したシートの種類（例えば厚紙、普通紙、ＯＨＰシート等）及びサイズ（例えばＡ３、Ｂ４、Ａ４、Ａ３ノビ等）を入力するカセット／サイズ・紙種設定画面Ｂ７０（図６）を操作表示手段Ｂ７または操作表示手段ＰＣ２に表示させ、くるみ製本に係るシートを収納した給紙カセットとシートの種類及びサイズを入力する。そして、入力内容は自動的にＲＡＭ・Ｍ２に記憶される。
【０１１３】
具体的には、オペレータが、操作表示手段Ｂ７または操作表示手段ＰＣ２にカセット／サイズ・紙種設定画面Ｂ７０を表示させ、第１〜４の給紙カセット毎に、収納したシートの種類及びサイズを入力する。
【０１１４】
また、同様な方法により、糊付けくるみ製本装置ＦＳＮのカバー供給手段３０の給紙皿３１にカバーシートを載置する時等に、カバーシートの給紙手段となる給紙皿に才知したくるみ製本に係るカバーシートの種類とサイズとを入力する。そして、入力内容は自動的にＲＡＭ・Ｍ２に記憶される。
【０１１５】
なお、シートの種類及びサイズとカバーシートの種類とサイズとを予めＲＯＭ・Ｍ１に記憶させておいて必要に応じＲＡＭ・Ｍ２に読み込ませても良い。
【０１１６】
＜第１の実施の形態＞
以下第１の実施の形態に係る、画像形成方法と画像形成装置の制御手段の制御について説明する。
【０１１７】
（後処理機能選択工程）
操作表示手段Ｂ７または操作表示手段ＰＣ２に出力機能設定画面を表示させ、実行させる機能の選択を促す。（ステップＳ１０１）
具体的には、ＲＯＭ・Ｍ１に予め記憶されている出力機能設定画面Ｂ７１（図７）の画面情報を読み出し、操作表示手段Ｂ７に後処理選択部Ｂ７１ａを含む出力機能設定画面Ｂ７１を表示させ、オペレータに対し、実行させる後処理機能の選択を促す。
【０１１８】
くるみ製本が選択されたか否かを判断する。（ステップＳ１０２）
（くるみ製本選択判断工程）
後処理選択部Ｂ７１ａでくるみ製本が選択されたか否かを判断し、選択された場合（Ｙ）はくるみ製本処理が選択されたことをＲＡＭ・Ｍ２に記憶させる。
【０１１９】
後処理選択部Ｂ７１ａから、くるみ製本Ｂ７１ｂが選択されたものとして以下説明する。
【０１２０】
（シートサイズ取得工程）
図８は操作表示手段に表示するシートサイズ選択画面の図である。
【０１２１】
シートサイズ取得工程。使用するシートのサイズ（給紙カセット）及び厚さを取得する。（ステップＳ１０３）
操作表示手段Ｂ７にシートサイズの選択画面Ｂ７２（図８）を表示させ、使用するシートの選択を促し、選択されたシートサイズをＲＡＭ・Ｍ２に記憶させる。
【０１２２】
なお、シートサイズは給紙カセット毎に給紙カセットに対応づけられているので、シートサイズを記憶させるかわりに選択された給紙カセットを示す情報を記憶させてもよい。
【０１２３】
具体的には、ステップＳ１０１で選択されたくるみ製本に応じ、ＲＯＭ・Ｍ１に予め記憶されている、シートサイズ選択画面Ｂ７２（図８）を表示する画像情報を読み出し、操作表示手段Ｂ７にシートサイズ選択画面Ｂ７２を表示させ、オペレータにシートとして使用するシートのサイズまたは給紙カセットの選択を促す。
【０１２４】
そして、選択されたシートのサイズまたは給紙カセットを示す情報をＲＡＭ・Ｍ２に記憶させる。
【０１２５】
例えば、シートサイズ選択画面Ｂ７２から、「１／Ａ４スイッチ」Ｂ７２ａが選択され、シートはＡ４サイズ、即ち給紙すべき給紙カセットとして第１給紙カセット５Ａの普通紙、が選択されたものとして以下説明する。
【０１２６】
ここで、例えば「１／Ａ４スイッチ」Ｂ７２ａの、第１給紙カセット５ＡにはＡ４サイズのシート（普通紙）が収納されているとの意味の、第１給紙カセット５ＡとＡ４サイズのシートとが対応づいていることを表す表示は、次の少なくとも一方により行うことができる。
（１）給紙カセット５Ａに対応して配設されたサイズ検知部材５Ａ１がＡ４サイズに相当する位置で検出されたことに基づき給紙カセット５ＡとＡ４サイズを対応づけて表示する。
（２）また、上述した準備作業でＲＡＭ・Ｍ２に記憶された、各給紙カセットに収納されているシートのサイズ情報を読み出すことにより給紙カセット５ＡとＡ４サイズを結びつけて表示する。
【０１２７】
（カバーシートサイズ取得工程）
使用するカバーシートのサイズ（給紙カセット）を取得する。（ステップＳ１０４）
図９は操作表示手段に表示するカバーシートサイズ選択画面の図である。
【０１２８】
操作表示手段Ｂ７にカバーシート選択画面Ｂ７３（図９）を表示させ、糊付けくるみ製本装置ＦＳＮで載置したカバーシートのサイズの選択を促し、給紙カセット（給紙皿）と選択されたカバーシートサイズをＲＡＭ・Ｍ２に記憶させる。
【０１２９】
具体的には、ＲＯＭ・Ｍ１に予め記憶されている、カバーシートサイズ選択画面Ｂ７３（図９）を表示する画像情報を読み出し、操作表示手段Ｂ７にカバーシートサイズ選択画面Ｂ７３を表示させ、オペレータにカバーシートとして使用するカバーシートのサイズ（給紙カセット）の選択を促す。
【０１３０】
そして、給紙皿と選択されたカバーシートのサイズとをＲＡＭ・Ｍ２に記憶させる。
【０１３１】
また、他の方法として、糊付けくるみ製本装置ＦＳＮと通信手段通信手段ＣＦ１を介し通信を行いカバーシートサイズ検出手段３１２によりカバー供給手段３０の給紙皿３１に載置されたカバーシートのサイズを検出させ、検出されたカバーシートサイズを通信手段を介し画像形成装置に送信させ、受信した給紙皿３１に載置されたカバーシートのサイズをＲＡＭ・Ｍ２に記憶させても良い。
【０１３２】
カバーシートサイズ選択画面Ｂ７３から、「ＦＮＳ／Ａ３ノビスイッチ」Ｂ７３ａが選択され、シートはＡ３ノビサイズ、給紙すべき給紙カセットとして糊付けくるみ製本装置ＦＮＳの給紙皿３１が選択されたものとして以下説明する。
【０１３３】
（シートとカバーシートのサイズ比較工程）
シートとカバーシートのサイズ比較を行う。（ステップＳ１０５）
具体的には、ステップＳ１０３とステップＳ１０４でＲＡＭ・Ｍ２に記憶させたシートとカバーシートのサイズ情報を読み出し、両者の幅方向の長さと高さ方向の長さをそれぞれ比較する。
【０１３４】
なお、ここで、第１の実施形態で比較されるカバーシートの幅方向の長さは、カバーシートの背部に相当する位置から小口に相当する位置までの距離である。例えば、ステップＳ１０４で取得されたカバーシート全体の幅方向の長さから背部に相当する部分の幅方向の長さ分を除いた長さを二等分にした長さを求め、カバーシートの幅方向の長さを得る。
【０１３５】
また、簡易化のために、背部に相当する部分の幅方向の長さをゼロとし、背部に相当する位置から小口に相当する位置までの距離として、カバーシート全体の幅方向の長さを二等分した長さを得てもよい。
【０１３６】
そして、シートの幅方向及び高さ方向の長さがいずれか一方でもカバーシートの幅方向及び高さ方向長さより大きな場合（Ｙ）は異常と判断し画像形成禁止工程に進む。また、シートの幅方向及び高さ方向の長さがカバーシートの幅方向及び高さ方向の長さ以下である場合（Ｎ）は正常と判断する。この場合、画像形成は許可され、引き続き画像形成及びくるみ製本動作が実行される。
【０１３７】
ここで、各シートのサイズ（例えばＡ４、Ａ３等）に対応する幅方向の長さと高さ方向の長さは、予めＲＯＭ・Ｍ１にシートサイズ名／寸法テーブル（不図示）として記憶させてある。これにより、シートサイズ名／寸法テーブルを読み出し、選択された給紙カセットに対応するシートの幅方向の長さと高さ方向の長さを参照し、ステップＳ１０４でＭ２に記憶されたカバーシートの幅方向の長さ及び高さ方向の長さと比較する。
【０１３８】
（異常処理工程）
比較結果が異常と判断された場合（Ｙ）は、異常処理としてシートへの画像形成の開始を禁止し、操作表示手段Ｂ７にシートのサイズがカバーシートのサイズより大きく、異常が発生したことを表示して報知する。（ステップＳ１０６）
音による警告報知を行っても良い。
【０１３９】
異常処理としては、画像形成の開始の禁止のみを行っても良く、また、異常の報知のみを行っても良い。画像形成の開始禁止或いは異常発生報知のいずれを行うかを選択する選択手段により選択可能となっている。
【０１４０】
また、比較結果が異常と判断された場合、異常処理として、シートへの画像形成は許可し、くるみ製本の実行のみを禁止するようにしてもよい。
【０１４１】
この場合、比較結果が異常と判断された場合（Ｙ）は通信手段ＣＢ１を介して糊付けくるみ製本装置ＦＳＮに異常と判断した旨の情報を送信し、製本装置ＦＳＮによるくるみ製本動作を禁止させるように構成する。
【０１４２】
なお、ステップＳ１０２でくるみ製本の選択が行われなかった場合（Ｎ）、及びステップＳ１０５で小さいと判断された場合（Ｎ）は画像形成の開始禁止、異常発生報知を行わない。
【０１４３】
例えば、背部に相当する位置から小口に相当する位置までの距離を、カバーシート全体の幅方向の長さを二等分した長さとした場合には、カバーシートにＡ３、シートにＡ４が選択された場合は、画像形成の開始禁止、異常発生報知を行わない。
【０１４４】
以上により、画像形成装置でくるみ製本に係るシートとカバーシートの選択が可能となり、幅方向、高さ方向いずれかのシートの寸法がカバーシートの寸法より大きな場合は警告を発し画像形成装置に無駄なくるみ製本を行わせることを事前に防止可能となる。
【０１４５】
また特に、幅方向の寸法をそれぞれ比較すると、カバーシートに対してよりずれやすいシートの幅方向のはみ出し量を把握でき、高品質の冊子を製造可能となる。
【０１４６】
なお、本実施形態においては、シートの幅方向及び高さ方向の長さがいずれか一方でもカバーシートの幅方向及び高さ方向長さより大きな場合（Ｙ）は異常と判断したが、シートの幅方向がカバーシートの幅方向より大きい場合のみ異常と判断する構成としてもよい。同様に、シートの高さ方向の長さがカバーシートの高さ方向の長さより大きな場合のみ異常と判断する構成といてもよい。
【０１４７】
また、本実施形態では、各画面の表示及び後処理機能の選択やシートサイズ及びカバーシートサイズの選択を操作表示手段Ｂ７により行う場合を例にとり説明したが、操作表示手段ＰＣ２により行っても良い。この場合、選択された後処理機能やシートサイズ及びカバーシートサイズは、情報端末ＰＣから送信されて通信手段ＣＢ２により取得され、取得された後処理昨日、シートサイズ及びカバーシートサイズに基づき画像形成装置の制御手段ＣＢがサイズの比較工程を実行する。
【０１４８】
＜第２の実施形態＞
図１０は糊付けくるみ製本に係る画像形成方法の第２の実施形態のフロー図である。
【０１４９】
第２の実施の形態は、第１の実施の形態に対して特に高さ方向のシートの長さがカバーシートの長さに対して長い場合はシート束の背の部分に塗布した接着剤が現れてしまい装置内部や装置周囲や冊子に付着することを防止するもので、基本的には第１の実施の形態と同様なので異なる部分について説明する。
【０１５０】
後処理機能選択工程（ステップＳ２０１）からカバーシートサイズ取得工程（ステップＳ２０４）まで及び異常処理工程（ステップＳ２０６）は、図５のステップＳ１０１からステップＳ１０４まで及びステップＳ１０６と同様のため、説明を省略する。
【０１５１】
（高さ方向のシートサイズとカバーシートサイズの比較工程）
高さ方向のシート寸法とカバーシート寸法を比較する。（ステップＳ２０５）
具体的には、ステップＳ２０３とステップＳ２０４でＲＡＭ・Ｍ２に記憶させたシートとカバーシートのサイズ情報を読み出し、両者の高さ方向の寸法をそれぞれ比較する。
【０１５２】
そして、シートの高さ方向の長さがカバーシートの高さ方向の長さより大きな場合（Ｙ）は異常と判断し、異常処理工程に進む。また、シートの高さ方向の長さがカバーシートの高さ方向の長さ以下の場合（Ｎ）は正常と判断する。
【０１５３】
ここで、各シートのサイズに含まれる幅方向の長さと高さ方向の長さは、前述した様に予めＲＯＭ・Ｍ１にシートサイズ名／寸法テーブル（不図示）として記憶させてある。
【０１５４】
以上により、画像形成装置でくるみ製本に係るシートとカバーシートの選択が可能となり、シートの高さ方向の長さがカバーシートの高さ方向の長さより大きな場合は警告を発し、カバーシートからシート背部の接着剤のはみ出しを防止し、高品位の冊子製造が可能となると共に、画像形成装置に無駄なくるみ製本を行わせることを事前に防止可能となる。
【０１５５】
＜第３の実施形態＞
図１１は糊付けくるみ製本に係る画像形成方法の第３の実施形態のフロー図である。
【０１５６】
第３の実施の形態は、第１の実施の形態に対して特に幅方向のシートの長さがカバーシートの長さに対して不適切な場合はカバーシートからシートが必要以上にはみ出してしまい冊子品位を低下してしまうことを防止するもので、第１の実施の形態と異なる部分について説明する。
【０１５７】
後処理機能選択工程（ステップＳ３０１）
かたカバーシートサイズ取得工程（ステップＳ３０４）までは、図５のステップＳ１０１からステップＳ１０４までと同様のため、説明を省略する。
【０１５８】
（シート出力枚数及びシート厚さ取得工程）
シート束を構成するシートの枚数を取得し、枚数とシート１枚当たりの厚さに基づき冊子に使うシート束の厚さを取得する。（ステップＳ３０５）
（１）シート出力枚数取得
画像読取り装置Ｂ１により読み取られた画像情報、或いは外部の情報端末ＰＣより送信された画像情報に基づき、冊子を構成するシートの枚数を取得する。
【０１５９】
（２）シート厚さ取得
ステップＳ３０３でＲＡＭ・Ｍ２に記憶されたシートとして使用するシートの給紙カセット情報から、準備工程でＲＡＭ・Ｍ２に記憶された当該給紙カセットのシートの種類情報を参照し、さらに、予めＲＯＭ・Ｍ１にシート種類名／厚さテーブル（不図示）として記憶させてあるシート種類名／厚さテーブルから当該シートの種類情報に対応するシートの厚さＴ（例えばｔｍｍ）を取得する。
【０１６０】
そして、取得したシートの枚数Ｎ（例えばｎ枚）にシートの厚さＴ（例えばｔｍｍ）を乗じてシート束の厚さＤ（ｍｍ）を算出する。
【０１６１】
Ｄ＝Ｎ×Ｔ
（必要となるカバーシートの幅寸法の算出工程）
シート束をコの字状にくるむために必要なカバーシートの幅方向の長さの算出を行う。（ステップＳ３０６）
具体的には、ステップＳ３０３でＲＡＭ・Ｍ２に記憶させたシートサイズ（給紙カセット）に基づき、前述のＲＯＭ・Ｍ１に記憶されているシートサイズ名／寸法テーブル（不図示）を参照してシートの幅寸法Ｗ１を取得する。次いで、シートの幅寸法Ｗ１に２を乗じた値に、シート束の厚さＤを加えて必要となるカバーシートの幅方向の長さＷを算出し、ＲＡＭ・Ｍ２に記憶させる。
【０１６２】
Ｗ＝２×Ｗ１＋Ｄ  （ｍｍ）
（必要となるカバーシートの幅方向の長さとカバーシートのサイズ比較工程）
ステップＳ３０６で取得した必要となるカバーシートの幅方向の長さと糊付けくるみ製本装置ＦＳＮのカバー供給手段３０の給紙皿３１に載置されたカバーシートの幅方向の長さを比較する。（ステップＳ３０７）
具体的には、ステップＳ３０６で算出した必要となるカバーシートの幅方向の長さＷと糊付けくるみ製本装置ＦＳＮのカバー供給手段３０の給紙皿３１に載置されたカバーシートの幅方向の長さとを比較する。
【０１６３】
ここで、給紙皿３１に載置されたカバーシートの幅寸法の取得としては、ステップＳ３０４でＲＡＭ・Ｍ２に記憶させたカバーシートのサイズ情報を読み出し、ＲＯＭ・Ｍ１に記憶させたシートサイズ名／寸法テーブルを参照してカバー供給手段３０の給紙皿３１に載置されたカバーシートの幅方向の長さを取得する。
【０１６４】
そして、必要となるカバーシートの幅方向の長さＷがカバー供給手段３０の給紙皿３１に載置されたカバーシートの幅方向の長さより大きな場合（Ｙ）は異常と判断し画像形成禁止工程に進む。
【０１６５】
また、必要となるカバーシートの幅方向の長さＷがカバー供給手段３０の給紙皿３１に載置されたカバーシートの幅方向の長さ以下である場合（Ｎ）は正常と判断する。
【０１６６】
（異常処理工程）
比較結果が異常と判断された場合（Ｙ）は、図５のステップＳ１０６と同様の異常処理を実行する（ステップ３４０８）。
【０１６７】
以上により、画像形成装置でくるみ製本に係るシートとカバーシートの選択が可能となり、カバーシートからシート束がはみ出してしまう場合は警告を発すると共に画像形成を禁止し、冊子品位を低下してしまうことを防止し、画像形成装置に無駄なくるみ製本を行わせることを事前に防止可能となる。
【０１６８】
＜第４の実施形態＞
図１２は糊付けくるみ製本に係る画像形成方法の第４の実施形態のフロー図である。
【０１６９】
図１３は操作表示手段に表示するシートがカバーシートからはみ出す許容幅を設定する設定画面の図である。
【０１７０】
第３の実施の形態は、第１の実施の形態に対して特に幅方向のシートの寸法がカバーシートの寸法に対して長い場合はカバーシートからシートが許容寸法以上にはみ出してしまい冊子品位を低下してしまうことを防止するもので、第１の実施の形態と異なる部分について説明する。
【０１７１】
後処理機能選択工程（ステップＳ４０１）からシートとカバーシートのサイズ比較工程（ステップＳ４０５）までは図５のステップＳ１０１からステップＳ４０５と同様のため説明を省略する。
【０１７２】
ステップＳ４０５で、シートサイズがカバーサイズより大きいと判断されると、カバーシートからのシートはみ出し量を算出するはみ出し量算出工程に進む。
【０１７３】
（はみ出し量算出工程）
幅方向においてシートの長さがカバーシートの長さより長いと判断された場合には、幅方向においてカバーシートからシートがはみ出す量（長さ）を算出する。（ステップＳ４０６）。
【０１７４】
カバーシートからの幅方向のシートはみ出し量を算出し、算出値をＲＡＭ・Ｍ２に記憶させる。
【０１７５】
具体的には、以下の方法により幅方向のシートはみ出し量を算出する。
【０１７６】
（１）前述した、ステップＳ３０５と同様にしてシート出力枚数及びシート厚さを取得しシート束の厚さＤ（ｍｍ）を算出し、ステップＳ３０６と同様にして必要となるカバーシートの幅方向の長さＷを算出する。
【０１７７】
（２）ステップＳ４０３でＲＡＭ・Ｍ２に記憶されたシートサイズからシートの幅方向の長さＷ１を求め、シート束のコの字に沿った面の長さＷ’（幅方向）を算出する。
【０１７８】
Ｗ’＝２×Ｗ１＋Ｄ  （ｍｍ）
なお、Ｗ１はシートの幅寸法Ｗ、Ｄはシート束の厚さである。
【０１７９】
（３）必要となるカバーシートの幅方向の長さＷと冊子を構成する複数のシートが束となったシート束のコの字に沿った面の長さＷ’とから幅方向においてカバーシートからシートがはみ出す量（長さ）Ｈ１を算出する。
【０１８０】
Ｈ１＝（Ｗ’−Ｗ）／２  （ｍｍ）
（はみ出し量の許容幅内外比較工程）
設定したはみ出し量許容幅とカバーシートからシートがはみ出す量（長さ）を比較する（ステップＳ４０７）。
【０１８１】
なおはみ出し量許容幅は、ＲＯＭ・Ｍ１に予め記憶されている。はみ出し量許容幅の記憶は、はみ出し量許容幅設定画面Ｂ７４（図１３）を表示する画像情報を読み出し、操作表示手段Ｂ７にはみ出し量許容幅設定画面Ｂ７４を表示させ、オペレータにカバーシートからシートがはみ出すはみ出し量の許容幅の設定を促し、設定されたはみ出し量許容幅をＲＡＭ・Ｍ２に記憶させることにより行われる。
【０１８２】
例えば、図示は数値キーで幅方向のはみ出し量許容幅が５ｍｍとして設定された場合を示している。
【０１８３】
そして、設定されたはみ出し量許容幅と、カバーシートからシートがはみ出す量（長さ）Ｈ１と、を比較し、カバーシートからシートがはみ出す量（長さ）Ｈ１が設定されたはみ出し量許容幅より大きい場合（Ｙ）は異常と判断し異常処理工程に進む。また、カバーシートからシートがはみ出す量（長さ）Ｈ１が設定されたはみ出し量許容幅以下の場合は、高さ方向においてシートの長さがカバーシートの長さより大きいと判断されたか否かを判断する。そして、高さ方向においてシートの長さがカバーシートの長さ以下と判断されていた場合には、正常と判断する。また、高さ方向においてシートの長さがカバーシートの長さより大きいと判断されていた場合には、高さ方向のはみ出し量（長さ）を算出する。そして、高さ方向のはみ出し量が予めＲＡＭ・Ｍ２に記憶されているはみだし量許容高さより大きい場合は異常と判断し、高さ方向のはみ出し量が予めＲＡＭ・Ｍ２に記憶されているはみだし量許容高さ以下の場合には、正常と判断する。
【０１８４】
（異常処理工程）
比較結果が異常と判断された場合（Ｙ）は、ステップＳ１０６と同様の異常処理を実行する。（ステップＳ４０８）
以上により、画像形成装置でくるみ製本に係るシートとカバーシートの選択が可能となり、カバーシートとシートのずれが設定値以上の場合は警告を発すると共に画像形成を禁止し、冊子品位を低下してしまうことを防止し、画像形成装置に無駄なくるみ製本を行わせることを事前に防止可能となる。
【０１８５】
＜第５の実施形態＞
図１４は糊付けくるみ製本に係る画像形成方法の第５の実施形態のフロー図である。
【０１８６】
図１５はカバーシートとシート束と断裁幅の関係を示す図である。
【０１８７】
図１５において、シート束４がカバーシート２によりコの字状にくるまれている。Ｗ１はシート幅、Ｗ２はシート束を覆った場合のカバーシートの背部に相当する位置から小口に相当する位置までの距離（表カバー幅）、Ｗ３は希望する断裁幅で、斜線部Ｑはカバーシート２からシート３がはみ出たはみ出し領域を示している。
【０１８８】
後処理装置の冊子断裁手段（不図示）で断裁幅Ｗ３に基づいて冊子小口が断裁可能となっている。
【０１８９】
第５の実施の形態は、カバーシートにシート束が接着され冊子形態となった後に小口を断裁する場合に、予め設定された断裁幅Ｗ３に基づく断裁位置がカバーシートからシートがはみ出たはみ出し領域（斜線部Ｑ）の中に入る場合は希望断裁幅に対してカバーシートのサイズまたはシートのサイズが異常とするもので、第１の実施の形態と異なる部分について説明する。
【０１９０】
後処理機能選択工程（ステップＳ５０１）からシートとカバーシートのサイズ比較工程（ステップＳ５０５）までは図５のステップＳ１０１からステップＳ１０５までと同様のため、説明を省略する。
【０１９１】
（断裁設定有無判断工程）
カバーシートにシート束が接着され冊子形態となった後に小口を断裁するか否かの設定有無を確認する。（ステップＳ５０６）
具体的には、操作表示手段ＰＣ２に断裁実行有無を設定するスイッチ（不図示）を表示させ、断裁設定ありの場合（Ｙ）は、断裁幅・はみ出し領域比較工程に進む。
【０１９２】
また、断裁実行なしの場合（Ｎ）は、異常処理工程（ステップＳ５０８）に進む。
【０１９３】
（断裁幅・はみ出し領域比較工程）
予め設定された断裁幅Ｗ３に基づく断裁位置がカバーシートからシートがはみ出たはみ出し領域（斜線部Ｑ）の中に入る場合は希望断裁幅に対してカバーシートのサイズまたはシートのサイズが異常と判断する。（ステップＳ５０７）
希望とする断裁幅Ｗ３（長さ）は、予めＲＯＭ・Ｍ１或いはＲＡＭ・Ｍ２にシート種類名／断裁幅テーブル（不図示）として記憶させてある。
【０１９４】
具体的には、ＲＯＭ・Ｍ１或いはＲＡＭ・Ｍ２から記憶されている希望とする断裁幅Ｗ３、ステップＳ５０３でＲＡＭ・Ｍ２に記憶させたシート幅Ｗ１、及びステップＳ５０４でＲＡＭ・Ｍ２に記憶させた表カバー幅Ｗ２を読み出し、希望とする断裁幅Ｗ３がカバーシート幅Ｗ２より大きくシート幅Ｗ１より小さいか（断裁位置がはみ出し領域Ｑの中に入っているか）を比較する。
【０１９５】
そして、希望とする断裁幅Ｗ３が表カバー幅寸法Ｗ２より小さいか、またはシート幅Ｗ１より大きい場合（Ｎ）は、希望とする断裁幅Ｗ３に対して選択したシート或いは後処理装置に載置したカバーシートが適当でないと判断して異常処理工程に進む。また、希望とする断裁幅Ｗ３がシート幅Ｗ１より小さく且つカバーシート幅Ｗ２より大きい場合（Ｙ）は正常と判断する。
【０１９６】
（異常処理工程）
比較結果が異常と判断された場合（Ｙ）は、図５のステップＳ１０６と同様の異常処理を実行する（ステップＳ５０８）
以上により、画像形成装置でくるみ製本に係るシートとカバーシートの選択が可能となり、希望とする断裁位置（寸法）に対してカバーシートとシートが適当でない場合は警告を発すると共に画像形成を禁止し、冊子品位を低下してしまうことを防止し、画像形成装置に無駄なくるみ製本を行わせることを事前に防止可能となる。
【０１９７】
＜第６の実施形態＞
図１６は外部情報端末を用いた、糊付けくるみ製本に係る画像形成方法の第６の実施形態のフロー図である。
【０１９８】
第６の実施形態は、外部端末を用いて情報授受をしながら糊付けくるみ製本を行うもので、
以下、シートのサイズがカバーシートのサイズより大きな場合異常処理を行う第１の実施形態に、外部端末を用いて情報授受をしながら糊付けくるみ製本を行う方法を適用した例について、図１６と４を参照して説明する。
【０１９９】
なお、前述した第２の実施形態〜第５の実施形態に、第６の実施形態の技術内容を適用し、情報授受をしながら糊付けくるみ製本を行うことが可能なことは言うまでもない。
【０２００】
（準備作業工程）
制御手段ＣＰから送信された、各給紙カセット５Ａ〜５Ｃに収納されているシートの種類及びサイズ情報の送信依頼が画像形成装置で受信されると、制御手段ＣＢはカセット／サイズ・紙種設定画面Ｂ７０で、設定された最新のシートの種類及びサイズ情報をＲＡＭ・Ｍ２から読み出し制御手段ＣＰに送信する。
【０２０１】
制御手段ＣＰはこれを受信し、シートの種類及びサイズ情報をＲＡＭ・Ｍ４に記憶させる。
【０２０２】
これにより、画像形成装置から離れた外部の情報端末ＰＣでも画像形成装置のシートに係る情報を取得可能となる。
【０２０３】
外部情報端末による後処理機能選択工程
制御手段ＣＰは操作表示手段ＰＣ２に出力機能設定画面Ｂ７１（図７）を表示させ、実行させる機能の選択を促す。（ステップＳ６０１）
具体的には、制御手段ＣＰから送信された出力機能設定画面Ｂ７１（図７）の画面情報の送信依頼を受信すると、制御手段ＣＢは出力機能設定画面Ｂ７１を表示する画像情報を制御手段ＣＰに送信する。
【０２０４】
制御手段ＣＰはこれを受信し、後処理選択部Ｂ７１ａを含む出力機能設定画面Ｂ７１を外部情報端末の操作表示手段ＰＣ２に表示させ、端末操作者に後処理機能の選択を促す。
【０２０５】
端末操作者により実行する出力機能が入力されると、この内容がＲＡＭ・Ｍ４に記憶される。
【０２０６】
なお、出力機能設定画面Ｂ７１（図７）を表示する画像情報はＲＯＭ・Ｍ３に予め記憶させておいても良い。
【０２０７】
（外部情報端末によるくるみ製本選択判断工程）
くるみ製本が選択されたか否かを判断する。（ステップＳ６０２）
制御手段ＣＰは後処理選択部Ｂ７１ａでくるみ製本が選択されたか否かを判断し、選択された場合（Ｙ）はくるみ製本処理が選択されたことをＲＡＭ・Ｍ４に記憶させる。
【０２０８】
（外部情報端末によるシートサイズ取得工程）
使用するシートのサイズを取得する。（ステップＳ６０３）
後処理選択部Ｂ７１ａから、くるみ製本Ｂ７１ｂが選択された場合は、操作表示手段ＰＣ２にシートサイズの選択画面を表示させ、使用するシートの選択を促し、選択されたシートサイズをＲＡＭ・Ｍ４に記憶させる。
【０２０９】
具体的には、ステップＳ６０２で選択されたくるみ製本に応じ、制御手段ＣＰから送信されたシートサイズ選択画面Ｂ７２（図８）を表示する画像情報の送信依頼が画像形成装置で受信されると、制御手段ＣＢはシートサイズ選択画面Ｂ７２を表示する画像情報を制御手段ＣＰに送信する。
【０２１０】
制御手段ＣＰはこれを受信し、シートサイズ選択画面Ｂ７２を端末の操作表示手段ＰＣ２に表示させ端末操作者にシートサイズの選択を促す。
【０２１１】
端末操作者により使用するシートサイズが入力されると、この内容が自動的にＲＡＭ・Ｍ４に記憶される。
【０２１２】
なお、シートサイズ選択画面Ｂ７２（図８）を表示する画像情報はＲＯＭ・Ｍ３に予め記憶させても良い。
【０２１３】
（外部情報端末によるカバーシートサイズ取得工程）
使用するカバーシートのサイズを取得する。（ステップＳ６０４）
操作表示手段ＰＣ２にカバーシートの選択画面を表示させ、使用するカバーシートの選択を促し、選択されたカバーシートサイズをＲＡＭ・Ｍ４に記憶させる。
【０２１４】
具体的には、制御手段ＣＰから送信されたカバーシートサイズ選択画面Ｂ７３（図９）の画面情報の送信依頼が受信されると、制御手段ＣＢはカバーシートサイズ選択画面Ｂ７３を表示する画像情報を制御手段ＣＰに送信する。
【０２１５】
制御手段ＣＰはこれを受信し、カバーシートサイズ選択画面Ｂ７３を端末の操作表示手段ＰＣ２に表示させ端末操作者にカバーシートのサイズの選択を促す。
【０２１６】
端末操作者によりカバーシートのサイズが入力されると、この内容がＲＡＭ・Ｍ４に記憶される。
【０２１７】
なお、カバーシートサイズ選択画面Ｂ７３を表示する画像情報はＲＯＭ・Ｍ３に予め記憶させても良い。
【０２１８】
（外部情報端末によるシートとカバーシートのサイズ比較工程）
制御手段ＣＰはシートとカバーシートのサイズ比較を行う。（ステップＳ６０５）
具体的には、制御手段ＣＰはステップＳ６０３とステップＳ６０４でＲＡＭ・Ｍ４に記憶させたシートとカバーシートのサイズを読み出し、両者の幅方向の長さと高さ方向の長さをそれぞれ比較する。
【０２１９】
そして、シートの長さがカバーシートの長さより大きな場合（Ｙ）は異常と判断し画像形成禁止工程に進む。また、小さな場合（Ｎ）は正常と判断する。
【０２２０】
（外部情報端末による異常処理工程）
比較結果が異常と判断された場合（Ｙ）は、制御手段ＣＰは通信手段ＣＢ２と通信手段ＰＣ１を介し、制御手段ＣＢがステップＳ１０６と同様な異常処理を実行するための異常情報を送信し、且つ外部の情報端末ＰＣの操作表示手段ＰＣ２にシートの寸法がカバーシートの寸法より大きな異常が発生したことを表示して報知する。（ステップＳ６０６）
音による警告報知を行っても良い。
【０２２１】
なお、ステップＳ６０２でくるみ製本の選択が行われなかった場合（Ｎ）、及びステップＳ６０５で小さいと判断された場合（Ｎ）は異常に係る情報の送信及び報知を行わない。
【０２２２】
以上により、画像形成装置から離れた外部の情報端末ＰＣでもくるみ製本に係るシートとカバーシートの選択が可能となり、シートの寸法がカバーシートの寸法より大きな場合は警告を発し画像形成装置に無駄なくるみ製本を行わせることが事前に防止可能となる。
【図面の簡単な説明】
【０２２３】
【図１】くるみ製本を行った冊子の説明図である。
【図２】画像形成装置に、後処理装置を接続した製本装置の説明図である。
【図３】糊付けくるみ製本装置ＦＳＮを説明する断面図である。
【図４】画像形成装置及び周辺装置の制御ブロック概念図である。
【図５】画像形成装置のくるみ製本に係る画像形成方法の第１の実施形態のフロー図である。
【図６】操作表示手段に表示するカセット／サイズ・紙種設定画面の図である。
【図７】操作表示手段に表示する出力機能設定画面の図である。
【図８】操作表示手段に表示するシートサイズ選択画面の図である。
【図９】操作表示手段に表示するカバーシートサイズ選択画面の図である。
【図１０】糊付けくるみ製本に係る画像形成方法の第２の実施形態のフロー図である。
【図１１】糊付けくるみ製本に係る画像形成方法の第３の実施形態のフロー図である。
【図１２】糊付けくるみ製本に係る画像形成方法の第４の実施形態のフロー図である。
【図１３】操作表示手段に表示するシートがカバーシートからはみ出す許容幅を設定する設定画面の図である。
【図１４】糊付けくるみ製本に係る画像形成方法の第５の実施形態のフロー図である。
【図１５】カバーシートとシート束と断裁幅の関係を示す図である。
【図１６】外部情報端末を用いた、糊付けくるみ製本に係る画像形成方法の第６の実施形態のフロー図である。
【符号の説明】
【０２２４】
１  冊子
２  カバーシート
３  シート
４  シート束
５  接着剤
２Ａ  表カバー
２Ｂ  裏カバー
２Ｃ  背
５０  シート束搬送手段
６０  糊塗布手段
７０  カバー貼付手段
Ａ  製本装置
Ｂ  画像形成装置
Ｂ７  操作表示手段
Ｂ８  画像情報生成手段
Ｂ７１  基本画面
Ｂ７２  基本画面
Ｂ７４  後処理機能のメニュー画面
Ｂ７５  シート及びカバーの使用給紙カセット選択画面
Ｂ７６  シートの種類に対するシートの厚さテーブル
ＣＢ  制御手段
ＣＦ  制御手段
ＣＰ  制御手段
ＦＳ  後処理装置
ＦＳＮ  糊付けくるみ製本装置
Ｍ１  ＲＯＭ
Ｍ２  ＲＡＭ
ＰＣ  外部の情報端末
Ｗ  必要となるカバーシートの幅寸法Ｗ
Ｗ１  シートの幅寸法
Ｗ２  カバーシートの幅寸法
Ｗ３  断裁幅寸法
【図１】
0004581991.tif 000002
【図２】
0004581991.tif 000003
【図３】
0004581991.tif 000004
【図４】
0004581991.tif 000005
【図５】
0004581991.tif 000006
【図６】
0004581991.tif 000007
【図７】
0004581991.tif 000008
【図８】
0004581991.tif 000009
【図９】
0004581991.tif 000010
【図１０】
0004581991.tif 000011
【図１１】
0004581991.tif 000012
【図１２】
0004581991.tif 000013
【図１３】
0004581991.tif 000014
【図１４】
0004581991.tif 000015
【図１５】
0004581991.tif 000016
【図１６】
0004581991.tif 000017